(57)【要約】【課題】書見台は、本を読むための道具として使うより、書物を見開き状態に支持して、パソコン入力作業や学習時に使用することが多く、そのため、本を立てかける角度を調整する機能よりも、薄手の本から、辞書や参考書などの分厚い本まで、様々な厚さの本を見開き状態で支持できるものが求められる。同時に、コストを抑えたシンプルな構造で、かつ、収納しやすく携帯に便利な形状が要求される。【解決手段】直方体またはそれに類する形の基台の上面に、複数の斜状の溝をほぼ平行に形成し、その内任意の２本の溝に支持板と透明な抑え板を差し込んで立て、その支持板と抑え板の間に本を見開いて立てかけるようにした。さらに、基台上面に凹部を形成し、抑え板と支持板の収納スペースを設けた。また、支持板を２枚の板で構成することで写真立てとしての機能も持たせ、収納時、机上に置いても邪魔とならない工夫をした。【選択図】図１
2007050043.tif 000002
【特許請求の範囲】
【請求項１】
直方体またはそれに類する形の基台の上面に、複数の斜状の溝をほぼ平行に形成し、その内任意の２本の溝に支持板と透明な抑え板を差し込んで立て、その支持板と抑え板の間に本を立てかけて支持することを特徴とする書見台。
【請求項２】
基台上面に凹部を形成し、抑え板と支持板の収納スペースを設けたことを特徴とする、請求項１記載の書見台。
【請求項３】
支持板を、２枚の板を重ね合わせて構成し、その内の１枚を透明な板としたことを特徴とする、請求項１記載の書見台。
【発明の詳細な説明】
【技術分野】
【０００１】
本発明は、書見台に関する。
【背景技術】
【０００２】
従来、構造が簡単で製造しやすく、かつ収納にも配慮した書見台が少ない（例えば、特許文献１参照。）。
【０００３】
また、本を立てかける角度を調整できるものはあっても、本の厚さに対応できるものは少ない（例えば、特許文献２、特許文献３参照。）。
【０００４】
また、写真立ての機能を併せ持った書見台は見られない（例えば、特許文献３参照。）。
【０００５】
【特許文献１】特開２００２−０１７４５７号公報
【特許文献２】特開２００２−１９１４４５号公報
【特許文献３】特開平０５−１５４０１８号公報
【発明の開示】
【発明が解決しようとする課題】
【０００６】
書見台は、本を読むための道具として使うより、書物を見開き状態に支持して、それを見ながらパソコン入力やノートに書き移すなどの作業に使用することが多く、その用途に対応した書見台のほうがよりニーズが高いものと考えられる。そのため、本を立てかける角度を調整する機能よりも、教科書のような薄手の本から、辞書や参考書、タグ辞典などの分厚い本まで、様々な厚さの本を見開き状態で支持できる書見台が求められる。
【０００７】
同時に、広く普及させるには、コストを抑えたシンプルな構造で、かつ、収納しやすく携帯に便利な形状が要求される。
【０００８】
また、書見台以外の機能を有し、書見台として使わない時に別の働きをするものであれば、収納の必要性も低くなる。
【０００９】
ところが、前述したように、シンプルな構造で、かつ、様々な厚さの本に対応する機能を備え、さらに収納、携帯に便利で、他の用途にも使えるような書見台は見られない。
【００１０】
例えば、特許文献３の書見台においては、様々な厚さの本に対応する機能は見られず、また、一見構造はシンプルでも、可動部分があるために製造工程がやや複雑になることは避けられない。また、収納においても、脱着式のページホルダーは邪魔になるか、取り外すと別に収納する手間がかかったり、紛失する恐れもある。そして、書見台以外の機能は有していない。
【００１１】
本発明は、従来の構成が有していた問題を解決しようとするものであり、様々な本の厚さに対応して本を見開き状態で支持し、かつシンプルな構造で製造コストを抑え、収納、携帯にも便利で、また、写真立てとしての機能を持たすこともできる書見台を提供することを目的とする。
【課題を解決するための手段】
【００１２】
上記目的を達成するために、本発明では、直方体またはそれに類する形の基台の上面に、複数の斜状の溝をほぼ平行に形成し、その内任意の２本の溝に支持板と透明な抑え板を差し込んで立て、その支持板と抑え板の間に本を見開いて立てかけるようにしたものである。ただし、抑え板は支持板より手前の溝に差し込むものとする。
【００１３】
これにより、支持板と抑え板の差し込む溝の位置を変えることで、様々な厚さの本に対応することができる。
【００１４】
また、第２の課題解決手段は、基台上面に凹部を形成し、抑え板と支持板の収納スペースを設けたものである。このため、抑え板、支持板、基台を一体化して収納することができ、形状も本の形とほぼ同様になるので、本と一緒に本棚に収納することができ、また携帯するにも便利な形状である。
【００１５】
また、第３の課題解決手段は、支持板を２枚の板を重ね合わせて構成し、そのうち１枚を透明な板とする。この２枚の板の間に写真などを挟み込むことにより、収納時に写真立てとして使用することができ、また、書見台としての利用時でも本を立てなければ、写真立てとしての効果を発揮する。
【発明の効果】
【００１６】
上述したように本発明の書見台は、様々な厚さの本を見開き状態で支持することができるので、パソコン入力や学習時に非常に便利である。さらに収納、携帯にも優れ、写真立てとしての利用もできるので、机上に置いておいても邪魔にならない。
【００１７】
さらに、製造工程においても、基台は可動部がないので射出成型だけで製作でき、支持板も抑え板も非常にシンプルな形状なので、製造が容易であり、コストも抑えられ、広く普及さすことができる。
【発明を実施するための最良の形態】
【００１８】
以下、本発明の実施の形態を図１〜図７に基づいて説明する。
【００１９】
図１において、扁平な直方体型の基台１の上面に、複数の斜状の溝２Ａ〜２Ｃをほぼ平行に設け、さらに基台１の上面には凹部を設けて支持板収納スペース３とし、さらに一段深くした凹部を設けて抑え板収納スペース４とした。また、収納した支持板６を取り出しやすくするために、基台上面周辺部にくぼみ５を設けた。
【００２０】
以下、上記構成の使用方法を説明すると、抑え板７を溝２Ａまたは溝２Ｂに差し込んで立てる。支持板６は、抑え板７より奥の溝２Ｂまたは溝２Ｃに差し込んで立てる。そして、支持板６と抑え板７の間に本を見開いて立てる。図２にその使用断面図を、図３に使用斜視図を示した。
【００２１】
また、収納時は、抑え板７を抑え板収納スペース４に収め、その上から支持板６を支持板収納スペース３に収める。図４にその収容断面図を示した。
【００２２】
図５に示したのは支持板６を６Ａ、６Ｂの２枚の板で構成した場合の斜視図である。６Ａは透明な板とし、写真１０などを６Ａと６Ｂの２枚の板で挟み、弾力性のあるコの字型の挟持具９で挟持して支持板６とする（図６）。図７は、その支持板６を基台に収納して立て、写真立てとして利用しているところである。
【図面の簡単な説明】
【００２３】
【図１】斜視図
【図２】使用断面図
【図３】使用斜視図
【図４】収納断面図
【図５】２枚組み支持板分解斜視図
【図６】２枚組み支持板結合斜視図
【図７】写真立てとしての使用図
【符号の説明】
【００２４】
１  基台
２Ａ〜２Ｃ  溝
３  支持板収納スペース
４  抑え板収納スペース
５  くぼみ
６  支持板
６Ａ  透明な板
６Ｂ  板
７  抑え板
８  本
９  挟持具
１０  写真
【図１】
2007050043.tif 000003
【図２】
2007050043.tif 000004
【図３】
2007050043.tif 000005
【図４】
2007050043.tif 000006
【図５】
2007050043.tif 000007
【図６】
2007050043.tif 000008
【図７】
2007050043.tif 000009